(57)【要約】基盤（１６）と、基盤（１６）上のほぼ平行に離間した複数の波形起伏（１１，１２）と、波形起伏（１１，１２）上のスクリーン構造形状（３１，３２；３７，３９）と、波形起伏内部に支持リブ構造（１９，２１；２０）とを含んでいる、波形起伏状に成型されたプラスチック製振動スクリーン。
2006524132.tif 000002
【特許請求の範囲】
【請求項１】
基盤と、前記基盤上でほぼ平行に離間した細長い複数の波形起伏と、前記波形起伏上のスクリーン構造形状とを具備している、波形起伏状に成型されたプラスチック製振動スクリーン。
【請求項２】
前記波形起伏が、両端部と、前記両端部上の端部キャップとを有する、請求項１に記載の波形起伏状に成型されたプラスチック製振動スクリーン。
【請求項３】
前記端部キャップは、前記波形起伏と一体に成型される、請求項２に記載の波形起伏状に成型されたプラスチック製振動スクリーン。
【請求項４】
前記複数の波形起伏と一体に成型される外側端部と、前記外側端部と一体に成型されるチャネル構造形状とを含んでいる、請求項１に記載の波形起伏状に成型されたプラスチック製振動スクリーン。
【請求項５】
前記波形起伏が、両端部と、前記両端部上の端部キャップとを有する、請求項４に記載の波形起伏状に成型されたプラスチック製振動スクリーン。
【請求項６】
前記端部キャップが前記波形起伏と一体に成型される、請求項５に記載の波形起伏状に成型されたプラスチック製振動スクリーン。
【請求項７】
前記基盤は、前記波形起伏の少なくとも一部分において縦方向内部に延びている複数の第一リブと、前記複数の第一リブと交差するように延びていてまたそれとともに一体に成型される複数の第二リブとを含む、請求項１に記載の波形起伏状に成型されたプラスチック製振動スクリーン。
【請求項８】
前記複数の第一リブは第一の波形起伏内に位置し、前記第一の波形起伏は、第一リブをその中に有しない少なくとも一つの第二波形起伏により互いに間隔をあけられている、請求項７に記載の波形起伏状に成型されたプラスチック製振動スクリーン。
【請求項９】
前記スクリーン構造形状は、前記波形起伏の側面を具備しまた前記第二リブと一体に成型される、請求項７に記載の波形起伏状に成型されたプラスチック製振動スクリーン。
【請求項１０】
前記波形起伏は、内部表面と外部表面及び、前記第二リブと一体に成型されまた前記波形起伏の縦方向に延びている第三リブを有していて、前記第三リブは、前記内部表面と一体に成型される第一端部と前記内部表面の無い第二端部とを有している、請求項９に記載の波形起伏状に成型されたプラスチック製振動スクリーン。
【請求項１１】
前記第三リブは、前記第二リブを備える前記内部表面の接合部で前記第二リブにも密着される、請求項１０に記載の波形起伏状に成型されたプラスチック製振動スクリーン。
【請求項１２】
前記第一波形起伏内の複数の第三リブと、前記第二波形起伏内の複数の第四リブとを含んでいる、請求項９に記載の波形起伏状に成型されたプラスチック製振動スクリーン。
【請求項１３】
前記第三リブは前記第二リブと一体に成型されまた前記第一波形起伏の縦方向に延びていて：また、
前記第一波形起伏は内部表面と外部表面とを有し、また前記第三リブは、前記第一波形起伏の前記内部表面と一体に成型される第一端部と、前記第一波形起伏の前記内部表面の無い第二端部とを有している；
請求項１２に記載の波形起伏状に成型されたプラスチック製振動スクリーン。
【請求項１４】
前記第三リブは、前記第二リブを備える前記内部表面の接合部で、前記第二リブにも密着される、請求項１３に記載の波形起伏状に成型されたプラスチック製振動スクリーン。
【請求項１５】
前記第一波形起伏は下端部と上端部とを有し：また、
前記第一波形起伏は両側面を有し；また、
前記第三リブは、前記第一波形起伏の前記上端部と前記下端部との中間にある、前記両側面の各々の前記内部表面に密着される；
請求項１３に記載の波形起伏状に成型されたプラスチック製振動スクリーン。
【請求項１６】
前記第四リブは、前記第二リブと一体に成型されまた前記第二波形起伏の縦方向に延びていて：また、
前記第二波形起伏は内部表面と外部表面とを有し、また前記第四リブは、前記第二波形起伏の前記内部表面と一体に成型される第一端部と、前記第二波形起伏の前記内部表面の無い第二端部とを有する；
請求項１２に記載の波形起伏状に成型されたプラスチック製振動スクリーン。
【請求項１７】
前記第四リブの前記第一端部は、前記第二リブを備える前記第二波形起伏の前記内部表面の接合部で前記第二リブにも密着される、請求項１６に記載の波形起伏状に成型されたプラスチック製振動スクリーン。
【請求項１８】
前記第二波形起伏は下端部と上端部とを有し：また、
前記第二波形起伏は両側面を有し；また、
前記第四リブは、前記上端部に隣接する前記第二波形起伏の前記両側面の前記内部表面の各々に密着され、また第五リブは、前記下端部と前記上端部との中間にある前記第二波形起伏の前記両側面の前記内部表面の各々に密着される；
請求項１７に記載の波形起伏状に成型されたプラスチック製振動スクリーン。
【請求項１９】
前記第三リブは、前記第二リブと一体に成型されまた前記第一波形起伏の縦方向に延びていて：また、
前記第一波形起伏は、内部表面と外部表面とを有し；また、
前記第三リブは、前記第一波形起伏の前記内部表面と一体に成型された第一端部と、前記第一波形起伏の前記内部表面の無い第二端部とを有している；
請求項１８に記載の波形起伏状に成型されたプラスチック製振動スクリーン。
【請求項２０】
前記第三リブは、前記第二リブを備える前記内部表面の接合部で前記第二リブにも密着される、請求項１９に記載の波形起伏状に成型されたプラスチック製振動スクリーン。
【請求項２１】
前記第一波形起伏は、下端部と上端部とを有し：また、
前記第一波形起伏は、両側面を有し；また、
前記第三リブは、前記第一波形起伏の前記上端部と前記下端部との中間にある前記両側面の各々の前記内部表面に密着される；
請求項２０に記載の波形起伏状に成型されたプラスチック製振動スクリーン。
【請求項２２】
前記第一リブは、第一上端部と第一下端部とを有し：また、
前記第二リブは、第二上端部と第二下端部とを有し；また、
前記第一下端部と前記第二下端部とは、ほぼ同一平面にある；
請求項７に記載の波形起伏状に成型されたプラスチック製振動スクリーン。
【請求項２３】
前記第一波形起伏と前記第二波形起伏とは、それぞれ第一と第二の頂上を有し：また、
前記第一リブの前記第一上端部は、前記第一頂上で終了し、また前記第二リブの前記第二上端部は、前記第一頂上と前記第二頂上との両方で終了する；
請求項２２に記載の波形起伏状に成型されたプラスチック製振動スクリーン。
【請求項２４】
前記第一波形起伏と前記第二波形起伏は、横断面において台形である、請求項２３に記載の波形起伏状に成型されたプラスチック製振動スクリーン。
【請求項２５】
前記第一波形起伏は、第一の両端部を有し：また、
前記第二波形起伏は、第二の両端部と、前記第一両端部に一体に成型される第一端部キャップと、前記第二両端部と一体に成型される第二端部キャップとを有し；また、
前記第一リブは、前記第一端部キャップと一体に成形される第三の両端部を有する；
請求項７に記載の波形起伏状に成型されたプラスチック製振動スクリーン。
【請求項２６】
前記スクリーン構造形状は、前記波形起伏の側面を具備しまた前記第二リブと一体に成型され：また、
前記スクリーン構造形状はまた、前記第二波形起伏の上端をも具備する；
請求項７に記載の波形起伏状に成型されたプラスチック製振動スクリーン。
【請求項２７】
前記第二波形起伏は、内部側面と外部側面とを含み：また、
前記第二波形起伏は、下端部と上端部、前記下端部と前記上端部の中間にある前記内部側面に固定される第三リブ、及び前記上端部に隣接する前記内部側面に対応して固定される第四リブを有し、また前記第三リブと前記第四リブは前記第二波形起伏の縦方向に延びている；
請求項７に記載の波形起伏状に成型されたプラスチック製振動スクリーン。
【請求項２８】
前記第三リブと前記第四リブとは、前記第二リブの間に延びていてまた前記第二リブと一体に成型される、請求項２７に記載の波形起伏状に成型されたプラスチック製振動スクリーン。
【請求項２９】
前記第一波形起伏は、第二内部側面と第二外部側面とを含み：また、
前記第一波形起伏は、第二下端部と第二上端部とを有し、また第五リブは、前記第二下端部と前記第二上端部との中間にある前記第二内部側面に固定される；
請求項２７に記載の波形起伏状に成型されたプラスチック製振動スクリーン。
【請求項３０】
前記第五リブは、前記第二リブの間に延びていてまた前記第二リブと一体に成型される、請求項２９に記載の波形起伏状に成型されたプラスチック製振動スクリーン。
【請求項３１】
前記第三リブと前記第四リブとは、前記第二リブの間に延びていてまた前記第二リブと一体に成型される、請求項３０に記載の波形起伏状に成型されたプラスチック製振動スクリーン。
【請求項３２】
前記スクリーン構造形状は、前記第二波形起伏の上端も具備する、請求項３１に記載の波形起伏状に成型されたプラスチック製振動スクリーン。
【請求項３３】
前記波形起伏内部に波形起伏−支持リブを含んでいる、請求項１に記載の波形起伏状に成型されたプラスチック製振動スクリーン。
【発明の詳細な説明】
【技術分野】
【０００１】
本発明は振動式篩い分け機用の波形起伏状に成型されたプラスチック製振動スクリーンに関する。
【背景技術】
【０００２】
米国特許第４，８１９，８０９号明細書と第４，８５７、１７６号明細書とに例示されているような背景によって、平板状に成型されたプラスチック製振動スクリーンは当技術分野においては周知である。また特許第５、４１７、８５９号明細書に例示されるような波形起伏状金属製振動スクリーンもまた当技術分野においては周知である。しかしながら、先行技術が振動式篩い分け機用の波形起伏状プラスチック製振動スクリーンを含むことは定かではない。
【発明の開示】
【発明が解決しようとする課題】
【０００３】
本発明の一つの目的は、振動式篩い分け機用の成型されたプラスチック製の波形起伏状スクリーンを提供することである。
本発明の別の目的は、波形起伏に関連した特殊なリブ構造のために優れた構造安定性を有する波形起伏状に成型されたプラスチック製振動スクリーンを提供することである。
【０００４】
本発明の別の目的は、単一の成型プロセスにより製造できる波形起伏状に成型されたプラスチック製振動スクリーンを提供することであり、それによって波形起伏状の金属製振動スクリーンを製造するのに必要な複数の手法、即ち、スクリーン材料の製造、金属製スクリーン材料の曲げ加工、開口された金属製受け板の加工、及び曲げられた金属製スクリーン材料の開口された金属製受け板への接合、を省略する。
本発明の他の目的及び付随する有利性は、以後容易に明らかになる。
【０００５】
本発明は、基盤と、前記基盤上のほぼ平行に離間したな細長い複数の波形起伏、及び前記波形起伏上のスクリーン構造形状を具備している波形起伏状に成型されたプラスチック製振動スクリーンに関する。本発明の種々の様相は、明細書の下記の部分を添付の図面とともに読了するときさらに十分に理解される。
【発明を実施するための最良の形態】
【０００６】
本発明の波形起伏状に成型されたプラスチック製振動スクリーン１０は、複数の主構造の波形起伏１１（図１−６、８及び１０）と複数の副構造の波形起伏１２（図１−５、７，９及び１１）とを含んでいる。主波形起伏１１は、副波形起伏１２（図１−５）を組み込んでいる。また主波形起伏１１と副波形起伏１２との間には接続部分２２がある。スクリーンの外部側面端部で、プラスチックはチャネル構造１３に成形され、そこに成型されスクリーン外部側面の全長を通して延びている強化材の金属製アングル部材１４を有する。チャネル１３は、振動式篩い分け機のチャネル形状のテンション部材を受容するためにあり、そのことは当技術分野では周知である。
【０００７】
スクリーン１０は、一体に成型され、それによって金属製の波形起伏状振動スクリーンを製造するために必要な労働と材料とを省力・省資源化している。スクリーン１０は振動式篩い分け機のベッドの全域に合う同じ大きさである。スクリーンは、ポリウレタンのMDIポリエーテル型から成型されるが、いずれの適切なプラスチックからも成型されてもよい。個々の主構造の波形起伏１１の両端部は、一体に成型された端部キャップ１５により閉鎖され、また副構造の波形起伏１２の端部は、一体に成型された端部キャップ１７により閉鎖される。主波形起伏と副波形起伏との外形寸法は同一である。主波形起伏は、副波形起伏１２よりさらに頑丈な内部リブ構造を有し、それは後に明らかにされる。これが、波形起伏１１は主波形起伏と呼ばれまた波形起伏１２は副波形起伏と呼ばれる理由である。しかしながら、必要なら、全ての波形起伏は主波形起伏型であってもよい。
【０００８】
波形起伏状に成型されたプラスチック製スクリーンの構造安定性は、主リブ１９（図１−３，５，６，８及び１０）と、主リブ１９へ交差するように延びてかつ一体に成型される副リブ２０とのグリッドから成っている基盤１６により部分的に達成される。主リブ１９は、中実の角形断面から成りまた主構造の波形起伏１１の縦方向に延びている。副リブ２０は、主波形起伏１１と副波形起伏１２との両方を貫通している。副構造の波形起伏１２においては、副リブ２０の部分は台形１８（図５及び図１１）の形状である。主構造の波形起伏１１においては、副リブ２０は主リブ１９と一体に成型される直角三角形２１（図５と図１０）の形状である。図１と図５とから分るように、主波形起伏１１と副波形起伏１２との両方とも台形の断面形状である。しかしながら、それらは、湾曲したドームのような他の断面形状に成型されていてもよい。図５から分るように、隣接する副リブ１２の隣接部分１８と主及び副リブの隣接部分２１及び１８とは、それぞれ副リブ２０の接続部分２６により接続される。副リブ２０の接続部分２６が、波形起伏１２の間及び波形起伏１１と１２との間を通過する場合、それらは図７において示される全層にわたる。副リブ２０は、スクリーンの全体幅をほぼ横断して延びている。また、副リブ２０は、それらの端部でチャネル形状の部分１３に順々に結合する平面部分２３に結合する。
【０００９】
アラミド製コード２４（図３，６、及び７）は、副リブ２０の最下部の部分と一体に成型される、またそれらは図３において示されるようにチャネル部分１３の間のスクリーンの全体幅を横断して延びている。具体的には、各コード２４は、
（１）副リブの台形１８の最下部の部分、
（２）副リブの三角形２１の最下部の部分、
（３）主リブ１９の最下部の部分、及び
（４）副リブ２０の部分２６、
を通じて延びている。アラミド製コード２４は、使用の際にスクリーン１０が引っ張られるとき好ましくない伸張に抗するようにそれを強化する。主リブ１９の下端部２５（図５）と副リブ１２の下端部２８は、スクリーン１０が平坦であるとき同一平面にある。しかしながら、スクリーン１０は柔軟であり、また下端部２５と２８とは、スクリーン10が篩い分け機の上で操作状態にあるとき振動式篩い分け機のベッドの湾曲に順応する。
【００１０】
主構造の波形起伏１１は、前述のように、端部キャップ１５の間に延びていてまた端部キャップと一体に成型される主リブ１９を含み、そしてそれらはまた副リブ２０とも一体に成型される。加えて、各波形起伏１１の各鏡像側面３０は、外部表面と内部表面とを含んでいる。各鏡像側面３０は、上部スロット３１（図８）と下部スロット３２とを有しているスクリーン構造形状も含んでいる。スロット３１と３２は、端部キャップ１５と副リブ三角形２１とに一体に成型されまた各波形起伏１１の全長に延びてもいる、中心に成型された部分３３により隔てられる。
【００１１】
主波形起伏１１の構造安定性は、各鏡像側面３０の内部表面で部分３３と一体に成型される内部リブ３４（図５、８、及び１０）により増進される。リブ３４は、副リブ２０の三角形２１の間に延びていて、またそれらの端部は副リブ２０の三角形２１に密着している。リブ３４は各々の主構造の波形起伏１１の全長を通して存在している。そして端部キャップ１５に隣接するリブ３４は、端部キャップ１５と一体に成型されまた端部キャップ１５で終了する。
【００１２】
副構造の波形起伏１２は、各々が外部表面と内部表面を有していてまた各々が上部に細長いスロット３７と下部に細長いスロット３９とを有しているスクリーン構成を含んでいる鏡像側面３５（図９）を含む。各鏡像側面３５上のスロット３７と３９は、副リブ２０の端部キャップ１７と台形の部分１８との間に延びていてまたそれらと一体に成型される中心に成型された部分４０により隔てられる。
【００１３】
副波形起伏１２の構造安定性は、中心部分４０で鏡像側面３５の内部表面から下方へ延びている内部リブ４１により増進される。各リブ４１は、中心部分４０と一体に成型される上部部分と下部自由端（図５，９及び１１）とを有する。各リブ４１は、隣接する台形部分１８の間を延びている。各リブ４１の端部は、中心に成型された部分４０との接合部で台形部分１８と一体に成型される。リブ４１は、各波形起伏１２の全長を通してそこにあり、そして端部キャップ１７に隣接するリブ４１は、端部キャップ１７と一体に成型されまた端部キャップ１７で終了する。
【００１４】
各波形起伏１２の頂上４２は、中心に成型された部分４６により隔てられる二列のスロット４３（図９）を有しているスクリーン構成を含む。しかしながら、主波形起伏１１の頂上４８（図５）は、主リブ１９の上端であり、またそれらはスロットを入れられていない。各頂上４２は、各々の副波形起伏１２の両端部で、端部キャップ１７の間に延びまた端部キャップ１７と一体に成型される。
【００１５】
副波形起伏１２の構造安定性は、内部リブ４４により増進され、内部リブ４２は、各頂上４２の端部３６（図９）と、頂上４２との接合部に隣接する鏡像側面３５の極めて小さい最上部分とを一体に成型される上端部を有しまた下部自由端を有する。リブ４４は台形部分１８の間を延び、リブ４４の端部は頂上４２（図１１）との接合部に隣接する台形部分１８に密着される。リブ４４は各波形起伏１２の全長を通してそこにあり、また端部キャップ１７に隣接するリブ４４は、端部キャップ１７と一体に成型されるそれらの端部を有する。
【００１６】
波形起伏１１と１２との間の２２で付番された接続部分で、スクリーン１０は、二列のスロット４５（図８及び９）を有しているスクリーン構造形状を含み、二列のスロット４５はそれらの間でスクリーンの端部まで延びまたそれらとともに一体に成型される成型部分４７により隔てられる。
【００１７】
成型されたスクリーン１０は、その水平と垂直な中心線の両方に関してほぼ対称である。1037.5mm×687.5mm（41 1/2 in×27 1/2 in）の全体寸法を有するスクリーンが設計される。スクリーンは、九つの主波形起伏１１と二十の副波形起伏１２とを含んでいる（図4）。主及び副波形起伏のスクリーン部分２２の上端から４２で付番されたそれらの頂上までの高さは、18.8mm（3/4in）波形起伏の幅は、基盤では、25mm（1in）また頂上では、7.8mm（5/16in）、接続部分22は、8.3mm（0.33in）の幅と3.1mm（1/8in）の奥行きである。スロット３１，３２，３７及び３９は、0.7mmの幅と9.4mm（3/8in）の長さである。スロット４３は0.7mmの幅と4.7mm（3/16in）の長さである。スロット４５は0.7mmの幅と3.1mm（1/8in）の長さである。スクリーンは、0.7mm以下の粒子をスクリーンするように設計される。
【００１８】
スクリーン領域、即ち、スクリーン開口部に直接隣接するスクリーンの部分で、スクリーンは、0.07”の厚みである。しかしながら、他の大きさの粒子をスクリーンするのに必要とされる場合、スロットの幅は異なる大きさであってもよい。その他の寸法もまた操作性の限度内で、要望どおり全て変更されてもよい。前述したように、スクリーン１０は支えられていないときは柔軟である。しかしながら、スクリーン１0が操作できるように設置されている振動式篩い分け機のベッド上で伸張されまたベッドにより支持されているとき、スクリーン１０はさらに堅くなる。
【００１９】
本発明の好適な実施態様が開示されたとはいえ、実施態様はそれに限定されるものではなく以下の特許請求の範囲内において別に実施されてもよい。
【図面の簡単な説明】
【００２０】
【図１】図１は、本発明のプラスチック製波形起伏状スクリーンの部分斜視図である。
【図２】図２は、図１の波形起伏状スクリーンの拡大部分平面図である。
【図３】図３は、図１の波形起伏状スクリーンの拡大底面図である。
【図４】図４は、スクリーンの全長を通して主及び副波形起伏の幾何学的配置を示しているプラスチック製波形起伏状スクリーンの図２の線５−５にほぼ沿った略断面図である。
【図５】図５は、図２の線５−５にほぼ沿って、また波形起伏の内部リブ構造を示している拡大部分断面図である。
【図６】図６は、図５の線６−６にほぼ沿って、また主構造の波形起伏の外部側面とリブ構造とを示している部分断面図の切り離された一部である。
【図７】図７は、図５の線７−７にほぼ沿って、また副構造の波形起伏の外部側面とリブ構造とを示している部分断面図の切り離された一部である。
【図８】図８は、図６の線８−８にほぼ沿って、そこにリブ構造を備える主構造の波形起伏の拡大部分斜視断面図である。
【図９】図９は、図７の線９−９にほぼ沿って、そこにリブ構造を備える副構造の波形起伏の拡大部分斜視断面図である。
【図１０】図１０は、図６の線１０−１０にほぼ沿って、そこにリブ構造を備え、また副リブとの交差部の直前で横断された主波形起伏の側面を備える、主構造の波形起伏の拡大部分斜視断面図である。；及び、
【図１１】図１１は、図７の線１１−１１にほぼ沿って、そこにリブ構造を備え、また副リブとの交差部の直前で横断された副波形起伏の側面を備える、副構造の波形起伏の拡大部分斜視断面図である。
【図１】
2006524132.tif 000003
【図２】
2006524132.tif 000004
【図３】
2006524132.tif 000005
【図４】
2006524132.tif 000006
【図５】
2006524132.tif 000007
【図６】
2006524132.tif 000008
【図７】
2006524132.tif 000009
【図８】
2006524132.tif 000010
【図９】
2006524132.tif 000011
【図１０】
2006524132.tif 000012
【図１１】
2006524132.tif 000013
【国際調査報告】
2006524132.tif 000014